(57)【要約】【課題】  薄型に構成でき、操作体を保持したまま、回転動作とスライド動作および押込み動作を行うことができる多方向入力装置を提供する。【解決手段】  基板２１上に回転支持部材３０と回転検知部４０と操作体４５が搭載されており、操作体４５を回転させると回転検知部４０が動作する。操作体４５を保持してスライド方向（Ｘ１−Ｘ２方向）へ移動させると、基板２１に設けられたスライド検知スイッチ２２ａ，２２ｂのいずれかが、スライド当接部７ａ，７ｂで押されて動作し、操作体４５を押すと、基板２１が押し込まれ、押込み検知スイッチ２５が押込み検知部８で押されて動作する。【選択図】図４
2018037362.tif 000002
【特許請求の範囲】
【請求項１】
回転動作と、前記回転動作の中心線と交差するスライド方向の動作、および前記中心線に沿う押込み方向の動作が可能な操作体と、
前記操作体の、前記回転動作を検知する回転検知部と、前記スライド方向の動作を検知するスライド検知スイッチ、および前記押込み方向の動作を検知する押込み検知スイッチが設けられた多方向入力装置において、
支持台に、前記スライド方向と前記押込み方向へ移動自在な基板が設けられ、前記基板の第１面側に、前記回転検知部が設けられ、第２面側に前記スライド検知スイッチと前記押込み検知スイッチとが設けられており、
前記操作体と共に前記基板が前記スライド方向へ移動すると、前記スライド検知スイッチが動作し、前記操作体と共に前記基板が押込み方向へ移動すると、前記押込み検知スイッチが動作することを特徴とする多方向入力装置。
【請求項２】
前記回転検知部の電極部と、前記スライド検知スイッチの電極部、および前記押込み検知スイッチの電極部が、前記基板に設けられた配線部に接続されている請求項１記載の多方向入力装置。
【請求項３】
前記支持台に、前記基板が前記スライド方向へ移動したときに、スライド検知スイッチが当たって動作状態となるスライド当接部と、前記基板が前記押込み方向へ移動したときに、前記押込み検知スイッチが当たって動作状態となる押込み当接部と、が設けられている請求項１または２記載の多方向入力装置。
【請求項４】
前記操作体と、前記操作体を回転自在に支持する回転支持部材と、前記操作体と前記回転支持部材との間に設けられた前記回転検知部と、前記基板と、前記スライド検知スイッチおよび前記押込み検知スイッチと、が組み合された検知ユニットが構成され、
前記検知ユニットが、前記支持台に前記スライド方向と前記押込み方向とへ移動自在に支持される請求項１ないし３のいずれかに記載の多方向入力装置。
【請求項５】
前記検知ユニットでは、前記操作体と前記基板との間に、前記回転支持部材と前記回転検知部とが挟まれて、前記操作体と前記基板とが保持金具で保持されている請求項４記載の多方向入力装置。
【請求項６】
前記支持台に、前記スライド方向へ移動自在なスライド部材が設けられて、前記スライド部材に、前記基板が前記押込み方向へ移動自在に支持されている請求項１ないし５のいずれかに記載の多方向入力装置。
【請求項７】
前記スライド部材に開口部が形成されて、前記基板に設けられた前記スライド検知スイッチと前記押込み検知スイッチとが、前記開口部内に入り込んで、前記スライド検知スイッチと前記押込み検知スイッチとが前記支持台に対向している請求項６記載の多方向入力装置。
【請求項８】
前記スライド検知スイッチが複数設けられ、前記押込み検知スイッチが、複数の前記スライド検知スイッチの間に配置されている請求項７記載の多方向入力装置。
【請求項９】
前記支持台と前記スライド部材との間に、前記スライド部材を中立位置に付勢するスライド付勢部材が設けられている請求項８記載の多方向入力装置。
【請求項１０】
前記基板と前記スライド部材との間に、前記基板を初期位置へ押上げる押上げ付勢部材が設けられている請求項６ないし９のいずれかに記載の多方向入力装置。
【発明の詳細な説明】
【技術分野】
【０００１】
本発明は、操作体が回転動作と、スライド方向への動作および押込み方向への動作を行う多方向入力装置に関する。
【背景技術】
【０００２】
特許文献１に記載された多方向操作スイッチ装置に関する発明が記載されている。このスイッチ装置は、第一基板の上に複数の押圧スイッチが設けられている。第一基板の上には、ベースが固定されており、その上にスライド部材を介してパッドが４方向へスライド移動自在に支持されている。パッドに第二基板が固定されており、第二基板に基板本体と回転スイッチおよび押圧スイッチが取り付けられている。
【０００３】
この多方向操作スイッチ装置は、押圧操作部と回転操作部とを有している。回転操作部はダイヤルを有し、押圧操作部はダイヤルの中心に位置する押しボタンを有している。ダイヤルを保持して回転すると、第二基板の基板本体に設けられた前記回転スイッチが動作する。また押ボタンを押すと、前記基板本体に設けられた押圧スイッチが動作する。
【０００４】
さらに、ダイヤルを保持してスライド方向へ移動させると、パッドと共にベースがスライド方向へ移動し、第一基板に設けられた複数の押圧スイッチのうちのいずれかが動作するようになっている。
【先行技術文献】
【特許文献】
【０００５】
【特許文献１】特開２００９−１２９８７１号公報
【発明の概要】
【発明が解決しようとする課題】
【０００６】
特許文献１に記載された多方向操作スイッチ装置は、押圧操作部と回転操作部が別々に設けられている。回転操作部の操作はダイヤルを保持して回転させればいいが、押圧操作部の操作としては、ダイヤルの中心に設けられた押しボタンに指を当てて押し込む動作が必要である。そのため、ダイヤルの操作と押ボタンの操作とで手の姿勢を変え、手で操作部を持ち代えることが必要になって、操作が煩雑である。
【０００７】
また、特許文献１に記載されたものは、スライド操作で動作する複数の押圧スイッチが第一基板に設けられ、回転操作と押圧操作のための回転スイッチと押圧スイッチとが第二基板に設けられているため、検知部が二重構造となり、薄型化に対応することが困難になる。また、第一基板と第二基板のそれぞれに配線経路を構成することが必要となり、配線構造も複雑になる。
【０００８】
本発明は上記従来の課題を解決するものであり、回転検知部およびスライド検知スイッチと押込み検知スイッチを共通の基板に実装して薄型化と配線の効率化を実現でき、しかも操作体を全ての動作方向へ移動させることができ操作性を向上できるようにした多方向入力装置を提供することを目的としている。
【課題を解決するための手段】
【０００９】
本発明は、回転動作と、前記回転動作の中心線と交差するスライド方向の動作、および前記中心線に沿う押込み方向の動作が可能な操作体と、
前記操作体の、前記回転動作を検知する回転検知部と、前記スライド方向の動作を検知するスライド検知スイッチ、および前記押込み方向の動作を検知する押込み検知スイッチが設けられた多方向入力装置において、
支持台に、前記スライド方向と前記押込み方向へ移動自在な基板が設けられ、前記基板の第１面側に、前記回転検知部が設けられ、第２面側に前記スライド検知スイッチと前記押込み検知スイッチとが設けられており、
前記操作体と共に前記基板が前記スライド方向へ移動すると、前記スライド検知スイッチが動作し、前記操作体と共に前記基板が押込み方向へ移動すると、前記押込み検知スイッチが動作することを特徴とするものである。
【００１０】
本発明の多方向入力装置は、前記回転検知部の電極部と、前記スライド検知スイッチの電極部、および前記押込み検知スイッチの電極部が、前記基板に設けられた配線部に接続されているものである。
【００１１】
本発明の多方向入力装置は、前記支持台に、前記基板が前記スライド方向へ移動したときに、スライド検知スイッチが当たって動作状態となるスライド当接部と、前記基板が前記押込み方向へ移動したときに、前記押込み検知スイッチが当たって動作状態となる押込み当接部と、が設けられているものである。
【００１２】
このスライド当接部と押込み当接部は、支持台と一体に形成されているものであってもよいし、支持台と別体に形成されて支持台に固定されたものであってもよい。
【００１３】
本発明の多方向入力装置は、前記操作体と、前記操作体を回転自在に支持する回転支持部材と、前記操作体と前記回転支持部材との間に設けられた前記回転検知部と、前記基板と、前記スライド検知スイッチおよび前記押込み検知スイッチと、が組み合された検知ユニットが構成され、
前記検知ユニットが、前記支持台に前記スライド方向と前記押込み方向とへ移動自在に支持されるものが好ましい。
【００１４】
例えば、前記検知ユニットでは、前記操作体と前記基板との間に、前記回転支持部材と前記回転検知部とが挟まれて、前記操作体と前記基板とが保持金具で保持されている。
【００１５】
本発明の多方向入力装置は、前記支持台に、前記スライド方向へ移動自在なスライド部材が設けられて、前記スライド部材に、前記基板が前記押込み方向へ移動自在に支持されているものとして構成できる。
【００１６】
本発明の多方向入力装置は、前記スライド部材に開口部が形成されて、前記基板に設けられた前記スライド検知スイッチと前記押込み検知スイッチとが、前記開口部内に入り込んで、前記スライド検知スイッチと前記押込み検知スイッチとが前記支持台に対向している構造とすることが好ましい。
【００１７】
さらに本発明の多方向入力装置は、前記スライド検知スイッチが複数設けられ、前記押込み検知スイッチが、複数の前記スライド検知スイッチの間に配置されていることが好ましい。
【００１８】
本発明の多方向入力装置は、前記支持台と前記スライド部材との間に、前記スライド部材を中立位置に付勢するスライド付勢部材が設けられている。
【００１９】
また、前記基板と前記スライド部材との間に、前記基板を初期位置へ押上げる押上げ付勢部材が設けられている。
【発明の効果】
【００２０】
本発明の多方向入力装置は、共通の基板に回転検知部とスライド検知スイッチおよび押込み検知スイッチが取り付けられており、前記基板がそれぞれのスイッチと一緒にスライド方向と押圧方向へ移動する構造である。回転検知部とスライド検知スイッチおよび押込み検知スイッチの配線を共通の基板で行うことができるため、薄型に構成でき、配線の効率化を高めることができる。
【００２１】
また、１つの操作体を保持したまま、回転動作と、スライド動作および押込み動作を行うことが可能であるため、例えば押込み動作で手の姿勢を持ち代えるなどの必要がなくなり、操作性も良好になる。
【図面の簡単な説明】
【００２２】
【図１】本発明の実施の形態の多方向入力装置の外観を示す斜視図、
【図２】図１に示す多方向入力装置の分解斜視図、
【図３】図２に示す多方向入力装置を構成する検知ユニットの分解斜視図、
【図４】図１に示す多方向入力装置をＡ−Ａ線で切断した断面図であり、非操作状態を示す、
【図５】図１に示す多方向入力装置をＡ−Ａ線で切断した断面図であり、スライド動作状態を示す、
【図６】図１に示す多方向入力装置をＡ−Ａ線で切断した断面図であり、押込み動作状態を示す、
【図７】実施の形態の多方向入力装置を、図２に示すＢ−Ｂ線で切断した断面図であり、被操作状態を示す、
【図８】実施の形態の多方向入力装置を、図２に示すＢ−Ｂ線で切断した断面図であり、スライド動作状態を示す、
【発明を実施するための形態】
【００２３】
図１と図２に示すように、本発明の実施の形態の多方向入力装置１は、支持台２を有している。支持台２は下部ケースであり、支持台２に上部ケース３が組み合わされる。支持台２と上部ケース３は合成樹脂材料で形成されている。
【００２４】
支持台２は、円筒形状の下周壁２ａと円板状の底部２ｂを有しており、下周壁２ａの外周面の複数箇所（４箇所）に掛止突起２ｃが一体に形成されている。上部ケース３は、円筒形状の上周壁３ａとリング形状の天井部３ｂを有している。上周壁３ａから下方向（Ｚ２方向）に向けて複数（４個）の掛止腕部３ｃが延びており、掛止腕部３ｃに上下方向（Ｚ１−Ｚ２方向）に長く延びる掛止長穴３ｄが形成されている。
【００２５】
図１に示すように、支持台２に上部ケース３が組み合わされて、下周壁２ａと上周壁３ａとが突き当てられると、掛止腕部３ｄが下周壁２ａの外周面に重ねられ、掛止長穴３ｄの下端部が掛止突起２ｃに掛止される。支持台２は下部ケースとして機能しており、支持台２（下部ケース）２と上部ケース３とが組み合わされてケース（ハウジング）が構成される。
【００２６】
図２に示すように、支持台２と上部ケース３との間に、スライド部材１０と検知ユニット２０が収納されている。
【００２７】
スライド部材１０は合成樹脂製である。スライド部材１０は、円板状の移動本体１１を有している。移動本体１１の直径は、支持台２の円形の内部空間の内径寸法よりもやや小さく、移動本体１１は支持台２の内部空間で動けるようになっている。
【００２８】
スライド部材１０の移動本体１１には、Ｘ１方向とＸ２方向にそれぞれスライド摺動部１１ａが一体に突出して形成されている。支持台２の下周壁２ａには、Ｘ１方向とＸ２方向へ開口するスライド案内凹部２ｄが形成されている。Ｘ１側とＸ２側のスライド摺動部１１ａが、それぞれのスライド案内凹部２ｄに摺動自在に挿入されて、スライド部材１０が、支持台２の内部においてＸ１−Ｘ２方向であるスライド方向へ移動自在に支持される。
【００２９】
図２に示すように、支持台２の底部２ｂの上面には、２箇所にばね保持部４が一体に形成されている。ばね保持部４は底部２ｂの上面（底面）から上向きに突出して形成されている。それぞれのばね保持部４には、Ｘ１−Ｘ２方向に延びるばね保持凹部４ａと、ばね保持凹部４ａの両端部に位置するばね端受け部４ｂとが形成されている。それぞれのばね端受け部４ｂには、ばね保持凹部４ａに連通するスリット４ｃが形成されている。
【００３０】
それぞれのばね保持凹部４ａにスライド付勢部材であるスライドばね５が保持されている。スライドばね５は圧縮コイルばねであり、巻き中心線がＸ１−Ｘ２方向に向けられている。スライドばね５は、巻き中心線方向に圧縮された状態でばね保持凹部４ａ内に挿入されて、スライドばね５の両端部がばね端受け部４ｂに圧接されている。
【００３１】
図７と図８には、図１に示す多方向入力装置１を図２に示すＢ−Ｂ線で切断した断面図が示されている。図２に示すように、スライド部材１０の移動本体１１の下部では、Ｂ−Ｂ線が通過する領域に、一対のばね押圧部１２ａ，１２ｂがＸ１−Ｘ２方向に間隔を空けて一体に形成されている。図７と図８に示すように、支持台２の内部空間に移動本体１１が設置されると、ばね押圧部１２ａが、ばね保持部４のＸ１側に形成されたスリット４ｃに入り込み、ばね押圧部１２ｂが、ばね保持部４のＸ２側に形成されたスリット４ｃに入り込む。ばね保持凹部４ａ内に保持されているスライドばね５は、ばね押圧部１２ａとばね押圧部１２ｂとで、Ｘ１側とＸ２側とから挟まれる。
【００３２】
その結果、図７に示すように、スライド部材１０に外力が作用していないときは、スライド部材１０は、Ｘ１−Ｘ２方向の中間の中立位置に保持される。
【００３３】
図８に示すように、スライド部材１０がＸ１方向へスライド移動すると、ばね押圧部１２ｂが、Ｘ２側のスリット４ｃ内をＸ１方向へ移動し、スライドばね５は、Ｘ１側のばね端受け部４ｂとばね押圧部１２ｂとの間で圧縮される。したがって、スライド部材１０の外力が除去されると、スライドばね５の弾性復元力によってスライド部材１０が図７に示す中立位置に復帰する。同様に、スライド部材１０がＸ２方向へ移動すると、スライドばね５が、Ｘ２側のばね端受け部４ｂとばね押圧部１２ａとの間で圧縮されるため、スライド部材１０には中立位置へ復帰させようとする付勢力が作用する。
【００３４】
図２に示すように、スライド部材１０には、移動本体１１のＹ１側とＹ２側の側部から上向きに突出する押込み案内部１３ａ，１３ｂと、Ｘ１側とＸ２側の側部から上向きに突出する規制突起１４が一体に形成されている。検知ユニット２０は、押込み案内部１３ａ，１３ｂと規制突起１４とでＺ１−Ｚ２方向へ移動自在に案内される。
【００３５】
スライド部材１０の移動本体１１には、４箇所にばね保持穴１１ｂが開口し、それぞれのばね保持穴１１ｂに、押上げ付勢部材である押上げばね１５が保持されている。押上げばね１５は圧縮コイルばねであり、巻き中心線がＺ１−Ｚ２方向に向けられている。それぞれの押上げばね１５は、圧縮された状態で、スライド部材１０と検知ユニット２０との間に介在し、押上げばね１５の弾性復元力により、検知ユニット２０が常に押上げ方向（Ｚ１方向）へ付勢されている。ただし、規制突起１４の上端にはフック状のストッパ部１４ａが一体に形成されており、図１に示すように、検知ユニット２０の一部である規制部３３ａがストッパ部１４ａに掛止されることで、検知ユニット２０の上方の移動終点が決められる。
【００３６】
図３に検知ユニット２０が分解斜視図で示されている。また、図４に示すＡ−Ａ線の断面図にも、検知ユニット２０の構造が示されている。
【００３７】
検知ユニット２０は基板２１を有している。基板２１ はプリント配線基板であり、絶縁基板で形成されて、上向きの第１面２１ａと下向きの第２面２１ｂを有している。第１面２１ａと第２面２１ｂの少なくとも一方の面に銅箔層による導体パターンが形成されている。なお、基板２１としては、樹脂フィルムに導体パターンが形成されたフレキシブル配線基板が、合成樹脂製または金属製の主基板に接合されているものであってもよい。実施の形態の検知ユニット２０に設けられた基板２１は、プリント配線基板であり、Ｙ１側に突出するコネクタ部２１ｃが形成されて、コネクタ部２１ｃに複数のランド部２１ｄが形成されている。
【００３８】
基板２１の第２面２１ｂに、一対のスライド検知スイッチ２２ａ，２２ｂが取り付けられている。第１のスライド検知スイッチ２２ａの端子部２４ａは基板２１の取付け穴２１ｅに挿入されて、端子部２４ａが、基板２１の第１面２１ａまたは第２面２１ｂに形成された導体パターンの配線部に半田付けされて、第１のスライド検知スイッチ２２ａの内部の電極部が配線部に導通している。第２のスライド検知スイッチ２２ｂの端子部２４ｂも基板２１の取付け穴２１ｆに挿入されて、端子部２４ｂが、基板２１の第１面２１ａまたは第２面２１ｂに形成された導体パターンの配線部に半田付けされて、第２のスライド検知スイッチ２２ｂの内部の電極部が配線部に導通している。
【００３９】
第１のスライド検知スイッチ２２ａのアクチュエータ（作動部）２３ａは、スライド方向の一方であるＸ１方向に向けられ、第２のスライド検知スイッチ２２ｂのアクチュエータ（作動部）２３ｂはＸ２方向に向けられている。
【００４０】
基板２１の第２面２１ｂでは、第１のスライド検知スイッチ２２ａと第２のスライド検知スイッチ２２ｂの間に押込み検知スイッチ２５が取り付けられている。押込み検知スイッチ２５の端子部２７は基板２１の取付け穴２１ｇに挿入されて、端子部２７が、基板２１の第１面２１ａまたは第２面２１ｂに形成された導体パターンの配線部に半田付けされて、押込み検知スイッチ２５の内部の電極部が配線部に導通している。
【００４１】
一対のスライド検知スイッチ２２ａ，２２ｂと押込み検知スイッチ２５が、Ｘ１−Ｘ２方向に一列に並べて実装されているため、複数の検知スイッチの配置効率が良く、基板２１の第２面２１ｂのスペースを有効に利用することができる。
【００４２】
検知ユニット２０では、基板２１の第１面２１ａに回転支持部材３０が設置されている。回転支持部材３０は、合成樹脂製である。回転支持部材３０は円筒外壁３１を有している。円筒外壁３１の外面には、Ｙ１側とＹ２側において上下方向（Ｚ１−Ｚ２方向）に延びる凹状の押込み摺動部３２ａ，３２ｂが一体に形成されている。また、円筒外壁３１の外面には、Ｘ１側とＸ２側において上下方向（Ｚ１−Ｚ２方向）に延びる凹状の規制摺動部３３が一体に形成されている。それぞれの規制摺動部３３の下端部に、規制部３３ａが一体に形成されている。
【００４３】
回転支持部材３０には、円筒内壁３４が形成されており、円筒外壁３１の下端部と円筒内壁３４の下端部との間に、リング状の底部３５が形成されている。底部３５には、回転検知部４０が設けられている。回転検知部４０は接点式の回転エンコーダである。回転検知部４０は、絶縁性でリング状の検知基板４１ を 有しており、検知基板４１が回転支持部材３０の底部３５に固定されている。検知基板４１のＺ１側に向く検知表面４１ａに固定電極４２が形成されている。回転検知部４０には、前記固定電極４２上を摺動する複数の可動電極４３が設けられており、それぞれの可動電極４３は、操作体４５の下部フランジ４６のＺ２側に向く下面４６ａに固定されている。
【００４４】
操作体４５は合成樹脂製であり、下部フランジ４６の上に摺動円筒部４７が一体に形成されている。摺動円筒部４７の内面４７ａは、回転支持部材３０の円筒内壁３４の外面に回転摺動自在に装着され、下部フランジ４６は、円筒外壁３１と円筒内壁３４との間に入り込んでいる。そして、操作体４５の下面４６ａに固定された可動電極４３が、底部３５に固定されている検知基板４１の検知表面４１ａに自らの弾性力で摺動自在に当接している。
【００４５】
図３に示すように、操作体４５の下部フランジ４６の上面に、回転操作時のクリック感触を発生させる凹凸部４６ｂが円周方向に繰り返して形成されている。
【００４６】
回転支持部材３０と操作体４５は、基板２１と保持金具５０との間に挟まれる。図３に示すように、保持金具５０にはリング状の保持板部５１が設けられ、保持板部５１に穴５２ が 開口している。また、保持板部５１の２箇所に取付け穴５２ａが開口している。保持板部５１のＺ２側に向く下面に感触発生ばね４８が取り付けられる。感触発生ばね４８は薄い板ばね材料で形成されており、その両端部に形成された固定穴４８ａが前記取付け穴５２ａに位置合わせされ、保持板部５１と感触発生ばね４８の両端部とが、スポット溶接や、かしめ構造などで固定される。感触発生ばね４８の中央部には摺動体４９が固定されている。
【００４７】
保持金具５０では、保持板部５１の外縁部から下向きに、位置決め片５３と、差し込み片５４および掛止片５５がそれぞれ一体に折り曲げ形成されている。
【００４８】
検知ユニット２０の組立作業は、回転支持部材３０の底部３５に、回転検知部４０の検知基板４１を固定する。図３に示すように回転検知部４０の検知基板４１には、下向きの３本の金属端子４４が固定され、固定電極４２が金属端子４４に導通している。検知基板４１が底部３５に設置されると、３本の金属端子４４が、回転支持部材３０の底部３５に形成されたスリット３５ａ内を下へ通過し、金属端子４４が、回転支持部材３０の下面よりも下側に突出する。
【００４９】
回転支持部材３０は、基板２１の第１面２１ａに設置されるが、このとき、前記金属端子４４が、基板２１に形成された３個の取付け穴２１ｈ内に挿入され、基板２１に形成された配線部と金属端子４４とが半田付けで固定され、検知基板４１の固定電極４２が、基板２１の配線部に導通させられる。
【００５０】
次に、可動電極４３を有する操作体４５を、円筒内壁３４の外周面に挿通させ、保持金具５０で、回転支持部材３０と操作体４５を保持し、保持金具５０を基板２１に固定する。このときに、保持金具５０の保持板部５１の穴５２に、操作体４５の摺動円筒部４７を挿入すると、保持板部５１の下面に取り付けられた感触発生ばね４８に固定された摺動体４９が、操作体４５の下部フランジ４６の上面の凹凸部４６ｂに弾性力を受けて当接させられる。
【００５１】
保持板部５１を、操作体４５の摺動円筒部４７の外面の段差部４７ｂと、回転支持部材３０の円筒外壁３１の上縁部３１ａの上に設置し、位置決め片５３を回転支持部材３０の円筒外壁の背面の位置決め凹部３１ｂに嵌合して、保持金具５０と回転支持部材３０を位置決めする。さらに、保持金具５０の差し込み片５４を、基板２１に形成された差し込み穴２８ａに差し込み、保持金具５０の掛止片５５を、基板２１の掛止穴２８ｂに差し込んで、掛止片５５の下端部５５ａを、基板２１の第２面２１ｂに掛止させることで、図２に示す検知ユニット２０が組み立てられる。
【００５２】
多方向入力装置１の全体の組立て作業は、図２に示すように、スライド部材１０の移動本体１１に形成されたばね支持穴１１ｂに押上げばね１５を挿入した状態で、スライド部材１０の上に検知ユニット２０を取付ける。このとき、スライド部材１０のＹ１側に形成された押込み案内部１３ａが、検知ユニット２０の基板２１に開口する挿通穴２９に挿入され、さらに回転支持部材３０ に形成された押込み案内部３２ａに摺動自在に挿入される。また、スライド部材１０のＹ２側に形成された押込み案内部１３ｂが、回転支持部材３０に形成された押込み摺動部３２ｂに挿入される。さらに、スライド部材１０のＸ１側とＸ２側に形成された一対の規制突起１４の上端のフック状のストッパ部１４ａが、回転支持部材３０に形成された規制部３３ａを乗り越えるようにして規制摺動部３３の内部に入り込む。
【００５３】
スライド部材１０に回転支持部材３０が組み込まれると、押上げばね１５の弾性復元力によって検知ユニット２０が常に上向きに押し上げられており、規制突起１４のストッパ部１４ａが、回転支持部材３０の規制部３３ａの上に掛止されることで、検知ユニット２０がスライド部材１０から離脱しないように保持される。
【００５４】
次に、検知ユニット２０が組み付けられたスライド部材１０を、支持台２の下周壁２ａの内部に組み込み、スライド部材１０に形成された一対のスライド摺動部１１ａを、支持台２の２箇所に形成されたスライド案内凹部２ｄに挿入する。そして、支持台２と上部ケース３とを嵌合させて、図１および図４に示す多方向入力装置１が完成する。
【００５５】
実施の形態の多方向入力装置１は、検知ユニット２０を組立てた後に、この検知ユニット２０とスライド部材１０とを互いに分離しないように組み立てることができる。そして、検知ユニット２０とスライド部材１０とを、支持台（下部ケース）２と上部ケース３との間に組み込む構造であるため、組立作業が容易である。
【００５６】
図４に組立が完了した多方向入力装置１の断面図が示されている。図４に示すように、多方向入力装置１では、検知ユニット２０を構成する基板２１の第２面２１ｂに固定された一対のスライド検知スイッチ２２ａ，２２ｂと押込み検知スイッチ２５とが、スライド部材１０に形成された開口部１８の内部に位置する。
【００５７】
図２に示すように、支持台２の底部２ｂには、Ｘ１側にスライド当接部７ａが、Ｘ２側にスライド当接部７ｂが隆起して一体に形成されている。スライド当接部７ａとスライド当接部７ｂは、Ｘ１−Ｘ２方向に間隔を空けて対向している。底部２ｂには、スライド当接部７ａとスライド当接部７ｂとの間に、押込み当接部８が上向きに一体に形成されている。
【００５８】
図４に示すように、スライド当接部７ａ，７ｂと押込み当接部８は、スライド部材１０の開口部１８の内部に位置している。図４に示すようにＸ１側のスライド当接部７ａは、第１のスライド検知スイッチ２２ａのアクチュエータ２３ａに対向し、Ｘ２側のスライド当接部７ｂが、第２のスライド検知スイッチ２２ｂのアクチュエータ２３ｂに対向する。また、押し込み検知スイッチ２５のアクチュエータ２６が押し込み当接部８に対向する。
【００５９】
実施の形態の多方向入力装置１の操作体４５は、摺動円筒部４７が、上部ケース３の開口部３ｅ内から上方へ突出している。そして図示しない操作ノブが摺動円筒部４７に装着される。
【００６０】
次に、多方向入力装置１の動作を説明する。
図４に、操作体４５ に外力が作用しない状態が示されている。
このとき、図２と図７に示すスライドばね５によって、スライド部材１０が、Ｘ１−Ｘ２方向の中立位置に静止させられている。検知ユニット２０ は、押上げばね１５の弾性復元力で押し上げられており、検知ユニット２０の回転支持部材３０に形成された規制部３３ａがスライド部材１０のストッパ部１４ａに掛止されている。
【００６１】
図４に示すように、スライドばね５によってスライド部材１０がＸ１−Ｘ２方向の中立位置とされているため、第１のスライド検知スイッチ２２ａのアクチュエータ２３ａが、支持台２に設けられたＸ１側のスライド当接部７ａで押されておらず、第２のスライド検知スイッチ２２ｂのアクチュエータ２３ｂもＸ２側のスライド当接部７ａで押されていない。また、押上げばね１５によって、スライド部材１０上で検知ユニット２０が持ち上げられているため、押込み検知スイッチ２５のアクチュエータ２６が、支持台２に設けられた押込み当接部８に押されていない。
【００６２】
図５に示すように、操作体４５をスライド方向の一方であるＸ１方向へ操作させると、支持台２上で、検知ユニット２０とスライド部材１０とが一体となってＸ１方向に移動する。そして、基板２１の第２面２１ｂに固定されている第１のスライド検知スイッチ２２ａのアクチュエータ２３ａがＸ１側のスライド当接部７ａに当たり、アクチュエータ２３ａが押し込まれて第１のスライド検知スイッチ２２ａが動作する。図８に示すように、スライド部材１０と検知ユニット２０がＸ１方向へ移動すると、ばね端受け部４ｂとばね押圧部１２ｂとの間でスライドばね５が収縮させられる。したがって、操作体４５に対するＸ１方向への操作力が除去されると、スライド部材１０と検知ユニット２０は、スライドばね５の弾性復元力によって、図４に示す中立位置に復帰させられる。
【００６３】
また、操作体４５をＸ２方向へ移動させると、第２のスライド検知スイッチ２２ｂのアクチュエータ２３ｂがＸ２側のスライド当接部７ｂに当たって、第２のスライド検知スイッチ２２ｂが動作する。このときも、スライドばね５の弾性復元力によって、スライド部材１０と検知ユニット２０は、中立に向けて復帰するように付勢される。
【００６４】
図６に示すように、操作体４５を押込み方向であるＺ２方向へ押すと、押上げばね１５が収縮してスライド部材１０上で検知ユニット２０がＺ２方向へ移動する。基板２１の第２面２１ｂに固定されている押込み検知スイッチ２５のアクチュエータ２６ が、支持台２の押込み当接部８に当たり、アクチュエータ２６が押し込まれ、押込み検知スイッチ２５が動作する。操作体４５への押し込み力が除去されると、押上げばね１５の弾性復元力により、検知ユニット２０が上昇し、図４に示す初期状態に復帰する。
【００６５】
この多方向入力装置１は、操作体４５を押し込んだ状態で、さらにＸ１方向へ移動させると、押込み検知スイッチ２５のアクチュエータ２６が押込み当接部８によって押し込まれて動作状態となったままで、第１のスライド検知スイッチ２２ａまたは第２のスライド検知スイッチ２２ｂを動作状態とすることができる。
【００６６】
また、図４に示すように、操作体４５がＸ１−Ｘ２方向の中立位置で且つ持ち上げられている状態で、操作体４５を回転させると、操作体４５の下部フランジ４６の下面４６ａに固定された可動電極４３が、検知基板４１の固定電極４２の上を摺動し、回転検知部４０が動作する。
【００６７】
また、図５に示すように操作体４５がＸ１方向へ移動しているときでも、図６に示すように、操作体４５が押し込まれているときでも、操作体４５を回転させて、回転検知部４０を動作させることが可能である。
【００６８】
実施の形態の多方向入力装置１は、回転検知部４０を有し回転操作する操作体４５を搭載した検知ユニット２０の全体が、スライド方向であるＸ１−Ｘ２と押込み方向であるＺ２方向へ移動する構造である。そのため、操作体４５の摺動円筒部４７に装着された図示しない操作ノブを指で保持し、その保持姿勢を変えずに、回転動作とスライド動作および押込み動作の全てを行うことが可能になる。
【００６９】
また、一対のスライド検知スイッチ２２ａ，２２ｂと押込み検知スイッチ２５が動作したときの切り換え信号と、回転検知部４０が動作したときの検知出力は、共通の基板２１に形成された配線部を経て、共通のコネクタ部２１ｃに配列するランド部２１ｄから引き出されるため、多方向入力装置１内の配線を簡易化することができる。
【００７０】
なお、実施の形態の多方向入力装置１は、操作体４５がＸ１−Ｘ２方向へのみスライド移動するものであるが、スライド部材を２個組み合わせることで、操作体４５と回転支持部材３０および基板２１を、Ｘ１−Ｘ２方向とＹ１−Ｙ２方向の双方にスライドさせ、４方向のスライド動作を４個のスライド検知スイッチで検知することも可能である。
【００７１】
また、回転検知部４０は接点式（電極式）ではなく、光学検知式や磁気検知式などであってもよい。
【００７２】
さらに、スライド当接部７ａ，７ｂと押込み当接部８は、支持台２と別体に形成されて支持台２に固定されたものであってもよい。
【符号の説明】
【００７３】
１  多方向入力装置
２  支持台
３  上部ケース
４  ばね保持部
５  スライドばね（スライド付勢部材）
７ａ，７ｂ  スライド当接部
８  押込み当接部
１０  スライド部材
１１  移動本体
１１ｂ  ばね保持穴
１２ａ，１２ｂ  ばね押圧部
１４ａ  ストッパ部
１５  押上げばね
２０  検知ユニット
２１  基板
２１ａ  第１面
２１ｂ  第２面
２２ａ  第１のスライド検知スイッチ
２２ｂ  第２のスライド検知スイッチ
２５  押込み検知スイッチ
３０  回転支持部材
４０  回転検知部
４１  検知基板
４２  固定電極
４３  可動電極
４４  金属端子
４５  操作体
４８  感触発生ばね
５０  保持金具
【図１】
2018037362.tif 000003
【図２】
2018037362.tif 000004
【図３】
2018037362.tif 000005
【図４】
2018037362.tif 000006
【図５】
2018037362.tif 000007
【図６】
2018037362.tif 000008
【図７】
2018037362.tif 000009
【図８】
2018037362.tif 000010